(57)【要約】【課題】接着用テープ等によって封緘された箱を開封する際、手や刃物によって開封しようとすると、手や箱、箱の中身を傷つける虞があった。【解決手段】箱本体に形成された開口部を蓋で閉じ、箱本体の側壁又は蓋に、或いは箱本体の側壁と蓋とのコーナーにカッターを設け、そのカッターの上から箱本体の側壁及び蓋に接着用テープを貼り付けて蓋を箱本体の側壁に固定すると共にカッターをも貼り付け、そのカッターを操作することで接着用テープを切断して蓋を開封可能とした。カッターが板状であり、その両端又は一端にカッター操作用の取っ手を備えた。カッターが箱本体の壁面と蓋とのコーナーに宛がうことができるようにほぼ直角に曲げて成形した。カッターに切断刃を形成した。箱本体を、対向する二つの側面が開口して折り畳み可能なものとした。【選択図】　　　図１
2004123125.tif 000002
【特許請求の範囲】
【請求項１】
箱本体に形成された開口部を蓋で閉じ、箱本体の側壁又は蓋に、或いは箱本体の側壁と蓋とのコーナーにカッターを設け、そのカッターの上から箱本体の側壁及び蓋に接着用テープを貼り付けて蓋を箱本体の側壁に固定すると共にカッターをも貼り付け、そのカッターを操作することで接着用テープを切断して蓋を開封可能としたことを特徴とするカッター付き箱開封機構。
【請求項２】
カッターが板状であり、その両端又は一端にカッター操作用の取っ手を備えたことを特徴とする請求項１記載のカッター付き箱開封機構。
【請求項３】
カッターが箱本体の壁面と蓋とのコーナーに宛がうことができるようにほぼ直角に曲っていることを特徴とする請求項１記載のカッター付き箱開封機構。
【請求項４】
カッターに切断刃が形成されたことを特徴とする請求項１乃至請求項３のいずれかに記載のカッター付き箱開封機構。
【請求項５】
箱本体が、対向する二つの側面が開口して折り畳み可能なものであることを特徴とする請求項１乃至請求項４のいずれかに記載のカッター付き箱開封機構。
【発明の詳細な説明】
【０００１】
【発明の属する技術分野】
本発明は箱の開口部を蓋で閉じ、蓋を手軽に開封できるようにしたカッター付き箱開封機構に関するものである。
【０００２】
【従来の技術】
従来、荷物等を梱包して運送したり、保管したりする箱には、上面開口の箱が多く用いられている。その箱に荷物を梱包する場合は、荷物を箱の中に入れてから箱に蓋をし、蓋をガムテープ、セロファンテープ等の粘着テープや布製バンド等によって箱に止めて封印している。蓋を開ける場合は貼り付けた粘着テープや布製バンド等を手で剥がすとかナイフや鋏等の刃物で切断する等していた。
【０００３】
【発明が解決しようとする課題】
しかし、従来の箱開封方法には以下のような課題があった。
（１）粘着テープを手で剥がすと時間がかかる。しかも、きれいに剥がしにくい。場合によっては剥離する人が手を痛めることもあった。
（２）刃物を用いて粘着テープ等を剥がすと、刃物を深く差し込み過ぎて箱や中身に傷をつけることがあった。その場合は中身が使用できなくなったり、箱が再利用できなくなったりして不経済であるだけでなく、資源の無駄でもあった。
【０００４】
【課題を解決するための手段】
本発明の目的は粘着テープや布製バンド等（以下、接着用テープという）によって封印された蓋を弱い力ででも手軽にきれいに開封することができるカッター付き箱開封機構を提供することにある。
【０００５】
本件出願の請求項１記載のカッター付き箱開封機構は、箱本体に形成された開口部を蓋で閉じ、箱本体の側壁又は蓋に、或いは箱本体の側壁と蓋とのコーナーにカッターを設け、そのカッターの上から箱本体の側壁及び蓋に接着用テープを貼り付けて蓋を箱本体の側壁に固定すると共にカッターをも貼り付け、そのカッターを操作することで接着用テープを切断して蓋を開封可能としたものである。
【０００６】
本件出願の請求項２記載のカッター付き箱開封機構は、カッターが板状であり、その両端又は一端にカッター操作用の取っ手を備えたものである。
【０００７】
本件出願の請求項３記載のカッター付き箱開封機構は、カッターの端面形状が箱本体の壁面と蓋とのコーナーにあてがうことのできるようにほぼ直角に曲っているものである。
【０００８】
本件出願の請求項４記載のカッター付き箱開封機構は、カッターに切断刃が形成されたものである。
【０００９】
本件出願の請求項５記載のカッター付き箱開封機構は、箱本体が対向する二つの側面が開口して折り畳み可能なものである。
【００１０】
【発明の実施の形態】
（実施形態１）
本発明のカッター付き箱開封機構の実施形態を図面に基づいて説明する。本発明のカッター付き箱開封機構は図１に示すように、箱本体１と、蓋２と、カッター３とからなる。
【００１１】
箱本体１は木製、ダンボール製（紙製）、皮製、プラスチック製、金属製といった各種材質製であり、図２のように四つの側面のうち対向する二つの側面４、５が開口して、上面６と底面７とが接近するように圧力を加えると対角線方向に扁平に折り畳まれるようにしてある。また、図３に示すように箱本体１の上面６の開口側端面に凹陥部８が、底面７の開口側端面に凹陥部９が成形されて、両凹陥部８、９間に蓋２を嵌め込むことができるようにしてある。
【００１２】
蓋２は箱本体１と同じ材質あるいは異なる材質製の板であって、厚さが箱本体１の上面６と底面７の凹陥部８、９の深さと同じであり、上縁１０を上面６の凹陥部８に嵌め、下縁１１を底面７の凹陥部９に嵌めると、箱本体１の開口部１６が閉塞されるサイズにしてある。
【００１３】
図１のように、箱本体１の対向する側壁４、５にはカッター３が取付けられている。図１のカッター３は金属製の細長薄板の幅方向一辺に切断刃１２が鋸歯状に成形され、長手方向両端に取っ手１３が形成されている。取っ手１３は指を差し込むことができるリング状に形成されている。カッター３の長さは宛がう箱本体１の側壁面の高さと同じか、それよりも多少短くして、取っ手１３の上下端部が箱本体１の上下に突出しないようにしてある。カッター３の材質は接着用テープ１４を切断し易い材質、例えば、硬質樹脂製とか他の材質製とすることができる。
【００１４】
カッター３は予め側壁面４、５に設ける（取り付ける）。この場合、カッター３は予め仮止めしておいたり、接着用テープ１４で止める直前に宛がうなどすることができる。仮止めする場合は、カッター３の裏面に箱本体１に差込み可能な仮止め用の突起や爪等（図示されていない）を設けておき、それらを箱本体１に差し込んで止めるとか、カッター３の裏面に仮止め用の接着剤を塗布し、その上に剥離紙を張っておき、剥離紙を剥がして接着するとか、カッター３の裏面に両面テープを貼り付けておき、その剥離紙を剥がしてから貼り付けるなどして仮止めする。
【００１５】
図１では箱本体の側壁面４、５に仮止めしたり、宛がったりしたカッター３の上から側壁面４、５及び蓋２に接着用テープ１４を貼り付けて、蓋２を側壁面４、５に固定して箱本体１の開口部１６（図３）を閉塞すると共にカッター３を側壁面４、５に貼り付けてある。この場合、カッター３は蓋２の横に切断刃１２を開口部１６側（蓋２側）に向けて取り付けてある。この場合、カッター３の切断刃１２が箱本体１の側方外側に突出せず、取っ手１３が側壁面４、５の上下に突出しない位置にカッター３を配置してある。カッター３は扁平な薄板状であるため、図１のようにカッター３を貼り付けて蓋２で封印した箱は上下に積み重ねても、横に並べても箱の間に殆ど隙間があかず、多数の箱を整然と並べて積み重ねることができる。
【００１６】
前記カッター付き箱開封機構を木箱とかダンボール箱のような箱本体１の開口部１６に設ける場合は次のようにする。
１．箱本体１内に荷物を入れる。
２．箱本体１の二つの開口部１６（図２、図３）の夫々の凹陥部に蓋２をはめ込む。
３．カッター３を側壁面４、５のコーナー寄りの部分に仮止めしたり、宛がったりする。この場合、カッター３を夫々の側壁面４、５の夫々の両コーナー寄りに一個づつ配置し、一つの箱本体１に計４個（４コーナーに一つずつ）配置する。
４．カッター３の上から接着用テープ１４を蓋２と側壁面４、５とに貼り付けて蓋２により箱本体１の開口部１６を封印すると共にカッター３を側壁面４、５に固定する。
【００１７】
前記のように封印した箱本体１の蓋２をカッター３で開封するには次のようにする。
１．カッター３の取っ手１３を指で摘んでカッター３を蓋２側（図１の矢印Ａ方向）に向けて引くだけで、接着用テープ１４が切断刃１２により切断される。
２．蓋２を手で取り外して箱本体１の開口部１６を開く。
３．開封した箱本体１から荷物等を取り出して箱本体１内を空にしてから、箱本体１の上面６を下方に押せば箱本体１が折り畳まれる。
４．カッター３は箱本体１の側壁面４、５から取り外して、別の箱本体１に使用（再利用）することができる。
【００１８】
（カッターの他例）
カッター３の他例として図４に示すものは、金属製の細長薄板の幅方向一辺の長手方向中央部に切断刃１２が鋸歯状に成形され、上下両端に取っ手１３が形成され、取っ手１３の内側部分に折り曲げ部１７が形成されている。折り曲げ部１７は例えば、その部分の板厚を薄くするなどして形成する。折り曲げ部１７を形成することにより、上端の取っ手１３を下方（矢印ａ方向）に引くと取っ手１３が折り曲げ部１７からどう方向に折れ曲がり易くなり、下端の取っ手１３を上方（矢印ｂ方向）に引くと取っ手１３が折り曲げ部１７から同方向に折れ曲がり易くなり、いずれの場合も取っ手１３が指で摘み易くなる。図４のカッター３も箱本体１の側壁面４、５の高さと同じか、それよりも短くしておいて、上下の取っ手１３が箱本体１の上下に突出しないようにしてある。カッター３の材質は硬質樹脂製、金属製といった、接着用テープ１４を切断し易い材質製とするのが望ましい。このカッター３も図１のカッターと同様に箱本体１のコーナーに仮止めしたり、宛がったりし、その上から接着用テープ１４を貼って箱本体１に蓋を封印すると共に箱本体１に固定する。
【００１９】
カッター３の他例として図５に示すものは、図６に詳細に示すように、金属製の細長薄板をほぼ直角に曲げてく字状に形成して、図５のように箱本体１のコーナーに宛がうことができるようにしてある。また、く字状の角の部分（稜線部）１５に突起状の切断刃１２が長手方向に所定間隔で形成されている。このカッター３も長手方向両端に取っ手１３が形成されている。この取っ手１３も指を差し込むことができるリング状に形成されている。上下の取っ手１３もほぼ直角に曲げられてく字状に形成されて、図５のように箱本体１のコーナーに沿って宛がうことができるようにしてある。このカッター３も箱本体１の側壁面の上下に突出しない長さにしてあり、材質は硬質樹脂製、金属製といった接着用テープ１４を切断し易い材質製とするのが望ましい。取っ手１３はリング状ではなく板状とか他の形状とすることができる。
【００２０】
このカッター３は図５のように箱本体１のコーナーに仮止めしたり、宛がったりし、その上から接着用テープ１４を貼って箱本体１に蓋２を封印すると共に箱本体１に固定する。仮止めは図１のカッター３と同じようにして行うことができる。
【００２１】
封印した箱本体１を開封する場合は、カッター３の取っ手１３を指で摘んでカッター３を切断刃１２の方向（図５の矢印方向）に引くと、稜線部１５の角と切断刃１２とにより接着用テープ１４が切断され、蓋２を外して開封することができる。
【００２２】
カッター３の他例として図７に示すものは、金属製の細長薄板の幅を長手方向一端から他端に向けて次第に狭くし、幅方向一辺の長手方向中央部に切断刃１２を鋸歯状に成形し、長手方向両端に指を差し込むことができるリング状の取っ手１３が形成され、下端の取っ手１３を切断刃１２側に向けてある。このカッター３も図１のカッター３と同様に箱本体１に仮止めしたり宛がったりし、その上から接着用テープ１４を貼って蓋２を封印すると共に箱本体１の側壁４、５または蓋２に貼り付ける。このカッター３は切断刃１２が斜めになっているため、上端の取っ手１３を下方に引き下げても切断刃１２の全長が同時に接着用テープ１４に当たらず、切断刃１２の上部側から下部側に次第に斜めに接着用テープ１４に当たって接着用テープ１４を切断するため、弱い力でも接着用テープ１４を切断することが可能になる。
【００２３】
前記した実施形態の取っ手１３はカッター３と一体に形成されているが、取っ手１３は図８のようにカッター３と別体に成形し、それをカッター３に紐や鎖等の連結具１８によって取り付けたものでもよい。この場合も、取っ手１３箱は本体１の側壁面４、５より外に突出しない長さにしておく。またカッター３を箱本体１に仮止めするときに、箱本体に接着剤とか接着用テープ等で止めておくと振れることなく安定する。
【００２４】
前記各実施形態ではカッター３の幅方向一辺にのみ切断刃１２を備えていたが、切断刃１２はカッター３の幅方向両側に形成することもできる。切断刃１２の形状は鋸歯状ではなく他の形状、例えば、ナイフの刃のような形状とか、先鋭な突起といったように、接着用テープ１４を切断し易い形状にすることができる。
【００２５】
カッター３の材質は金属製に限られず、軟質樹脂製、硬質紙製、木製等々の材質製とすることもできる。形状も板状に限らず棒状、紐状、糸状等の他の形状にすることができる。カッター３の長さ、幅、肉厚、形状等も貼り付け易く、接着用テープ１４を切断し易いように任意に選択することができる。
【００２６】
前記した実施形態ではカッター３を箱本体１の側壁面４、５に取り付けてあるが、カッター３は蓋２に取り付けることもできる。側壁面４、５や蓋２に取り付けるカッター３の枚数も図示したものに限られない。接着用テープ１４の貼り付け箇所も図示した二箇所だけでなく、三箇所以上としたり、カッターに沿って箱本体のコーナーの全長としたりすることもできる。
【００２７】
本発明における箱本体１も前記実施形態の形状に限らず、他の形状、例えば、側面のいずれか一面だけが開口しているものとか、上面が開口しているものなどであってもよい。
【００２８】
【発明の効果】
本件出願の第１のカッター付き箱開封機構は、箱に開封用のカッターが取り付けられているので次のような効果が有る。
（１）箱に取り付けられている専用のカッターで接着用テープをカットして手軽に箱を開封することができる。
（２）カッターがあるため弱い力ででも楽に開封することができる。
（３）ナイフや鋏等の道具を必要としないので、それら道具を探す面倒が無い。また、ナイフや鋏等の刃物で怪我をすることもない。
（４）手で剥がす場合よりも楽に、きれいに剥がすことができる。
（５）短時間で剥がすことができるので、多くの箱を開封する場合は作業の時間短縮にもなる。
（６）カッターをわざわざ箱に取り付けるのでは無く、蓋を箱の開口部に接着用テープで貼り付けるついでにカッターを箱に取り付けるので、カッターの取り付けが格別に面倒になることもない。
（７）ナイフ、鋏などの刃物を使用しないので、開封時に刃物で箱を傷めたり、刃物を箱の中まで差し込み過ぎて箱の中身に傷をつけることも無いため、中身が貴重なものであったり、箱自体が展示用であったりしても安心して開封作業ができ、作業効率が向上する。
（８）カッターは箱から取り外して再利用することができる。
【００２９】
本件出願の第２のカッター付き箱開封機構は、カッターに取っ手を設けたので、上記効果に加えて次のような効果も有る。
（１）取っ手を引いてカッターを動かすことができるので、カッターをスムースに操作することができる。また、カッターを直接摘んで動かす場合よりも弱い力でカッターを動かすことが出来、力の弱い子供や老人でも手軽に開封することができる。
（２）カッターの切断刃に手を振れることなく開封することができるので、怪我をしにくくなり、作業の安全性が確保される。
【００３０】
本件出願の第３のカッター付き箱開封機構は、カッターの端面形状がほぼ直角であるため上記効果に加えて次のような効果もある。
（１）箱のコーナーに仮止したり、宛がったりすることができるので、カッターの取り付け位置の位置決めが容易である。
（２）カッターを箱のコーナーに貼り付けられるので、損傷し易い箱のコーナーが補強され、箱が損傷しにくくなる。
【００３１】
本件出願の第４のカッター付き箱開封機構は、カッターに切断刃が形成されているため、前記効果の他に、接着用テープが一層切断され易くなる、という効果もある。
【００３２】
本件出願の第５のカッター付き箱開封機構は、箱本体が、対向する二つの側面が開口されて折り畳み可能であるため次のような効果がある。
（１）箱の側面から荷物を出し入れすることができるため、上面開口の箱にその上面から荷物を出し入れする場合よりも荷物の出し入れが容易になる。
（２）使用後の箱を折り畳んでコンパクトにすることができるため、箱の保管や収容に場所をとらない。
（３）箱を再利用することができるため環境に優しく、省資源にも役立つ。
【図面の簡単な説明】
【図１】本発明のカッター付き箱開封機構の実施形態の一例を示す斜視図。
【図２】図１に示す箱１が折り畳まれる様子を示した説明図。
【図３】図１に示す箱１と蓋２の様子を示した側方説明断面図。
【図４】図１に示すカッター付き箱開封機構のカッターを示す斜視図。
【図５】本発明のカッター付き箱開封機構の実施形態の他の一例を示す斜視図。
【図６】図５に示すカッター付き箱開封機構のカッターを示す斜視図。
【図７】本発明のカッター付き箱開封機構の実施形態の他の一例のカッターを示す斜視図。
【図８】本発明のカッター付き箱開封機構の実施形態のその他の一例を示す斜視図。
【符号の説明】
１　箱
２　蓋
３　カッター
４　側面
５　側面
６　上面
７　底面
１２　切断刃
１３　取っ手
１４　接着用テープ
【図１】
2004123125.tif 000003
【図２】
2004123125.tif 000004
【図３】
2004123125.tif 000005
【図４】
2004123125.tif 000006
【図５】
2004123125.tif 000007
【図６】
2004123125.tif 000008
【図７】
2004123125.tif 000009
【図８】
2004123125.tif 000010